(57)【要約】  本発明は、高圧管路（１６）を管状の蓄圧器部材（１０）に接続するための装置（２０）であって、蓄圧器部材の壁（４０）に高圧管路（１６）のための少なくとも１つの接続孔（４２）を設けてある形式のものに関する。高圧管路（１６）の一方の端部（４４，６４，７４）は、蓄圧器部材（１０）を取り囲むシェル状の固定部材（２０）の１つの半割シェル（２２，２４）によってかぶされており、固定部材の両方の半割シェル（２２，２４）は相互に締め付けられている。
2009533591.tif 000002
【特許請求の範囲】
【請求項１】
高圧管路（１６）を管状の蓄圧器部材（１０）に接続するための装置（２０）であって、前記蓄圧器部材の壁（４０）に前記高圧管路（１６）のための少なくとも１つの接続孔（４２）を設けてある形式のものにおいて、前記高圧管路（１６）の一方の端部（４４，６４，７４）は、前記蓄圧器部材（１０）を取り囲むシェル状の固定部材（２０）の１つの半割シェル（２２，２４）によってかぶされており、前記固定部材の複数の半割シェル（２２，２４）は相互に締め付けられていることを特徴とする、高圧管路を蓄圧器部材に接続するための装置。
【請求項２】
シェル状の固定部材（２０）は上側シェル（２２）と下側シェル（２４）とを含んでおり、前記上側シェル（２２）と前記下側シェル（２４）とは、締め付け力（ＦＫ）のための第１の力導入箇所（３２）でフック係合によって、若しくは相互のかみ合いによって、若しくは相互の引っ掛けによって互いに結合されている請求項１に記載の装置。
【請求項３】
両方の半割シェル（２２，２４）は締め付け力（ＦＫ）のための第２の力導入箇所（３４）で締め付け部材（２８）を用いて相互に締め付けられ、若しくはクランプ部（７８）によって蓄圧器部材（１０）の周面（１２）に締め付けられるようになっている請求項１に記載の装置。
【請求項４】
蓄圧器部材（１０）の周面（１２）は少なくとも１つの凹設部（８６）を有しており、該凹設部は、１つの半割シェル（２２，２４）に形成された少なくとも１つの突起部（８４）を回動防止手段として受容するようになっている請求項１に記載の装置。
【請求項５】
蓄圧器部材（１０）の周面（１２）の凹設部（８６）と１つの半割シェル（２２，２４）に形成された突起部（８４）とは、蓄圧器部材（１０）に対する任意の周方向位置での回動防止手段を形成している請求項４に記載の装置。
【請求項６】
締め付け力（ＦＫ）のための第１の力導入箇所（３２）は、一方の半割シェル（２２，２４）の折り曲げられた端部（８０）と他方の半割シェル（２４，２２）の折り曲げられた端部（８２）とから成る係合部（６０）として形成されている請求項２に記載の装置。
【請求項７】
高圧管路（１６）の端部は、密閉部分（４４）として、若しくは丸みの付けられた密閉部分（６４）として、若しくは円錐台形の密閉部分（７４）として形成されている請求項１に記載の装置。
【請求項８】
高圧管路（１６）の端部（４４，４６，７４）は肩部（５４）を有しており、該肩部は、シェル状の固定部材（２０）からのシール力（ＦＤ）を前記高圧管路（１６）に伝達するようになっている請求項７に記載の装置。
【請求項９】
高圧管路（１６）の端部（４４，４６，７４）の肩部は、スペーサープレート（７２）若しくは、つば付のスペーサープレート（９２）を受容している請求項８に記載の装置。
【請求項１０】
締め付け部材（２８）は締め付け力（ＦＫ）のための第２の力導入箇所（３４）で、一方の半割シェル（２２，２４）のねじ用つば（９０）若しくは材料隆起部（６６）の雌ねじ（６８）内にねじ込まれている請求項３に記載の装置。
【発明の詳細な説明】
【技術分野】
【０００１】
本発明は、高圧管路を蓄圧器に接続するための装置あって、前記蓄圧器の壁に前記高圧管路のための少なくとも１つの接続孔を設けてある形式のものに関する。
【０００２】
ドイツ連邦共和国特許出願公開第１９９４８３４１Ａ１号明細書には燃料蓄圧器を開示してあり、該燃料蓄圧器は殊に内燃機関のコモンレール式燃料噴射システムに用いられるものである。燃料蓄圧器は管状の蓄圧器本体を有しており、該蓄圧器本体は複数の接続開口部を備えている。燃料蓄圧器内の圧力レベルを増大するために、少なくとも２つの接続開口部を直径方向で相対して管状の本体に配置してある。さらに、ドイツ連邦共和国特許出願公開第１９９４８３４１Ａ１号明細書により公知の燃料蓄圧器の壁には、閉鎖栓によって閉鎖される加工開口部を設けてある。
【０００３】
ドイツ連邦共和国特許出願公開第１９９４８３３８Ａ１号明細書に燃料蓄圧器の加工のための方法、燃料蓄圧器及び接続管片を開示してあり、燃料蓄圧器は１つの蓄圧器本体を含んでおり、該蓄圧器本体は複数の接続開口部を備えている。燃料インジェクターに接続される高圧管路（高圧導管）のための接続開口部の領域は、蓄圧器本体の壁に形成された複数の貫通孔を備えており、該貫通孔は直径の大きさの異なる２つの区分を有している。各燃料インジェクターに通じる高圧管路の接続のために、蓄圧器本体の壁内に取り付け具をねじ込んであり、該取り付け具は、高圧管路の接続端部の受容のための雌ねじを有している。
【０００４】
前記公知の燃料蓄圧器は、鍛造加工成形される構成部分として形成され、一体成形されている。鍛造加工素材は、加工工程中に接続孔を設けられ、かつ高圧管路の接続のために必要な取り付け具を装着される。燃料蓄圧器はさらに、複数の構造部分から溶接して成る構成部品としても形成されており、該構成部品は個別部分として前記取り付け具及び条片を含んでおり、この種の燃料蓄圧器は条片を用いて内燃機関のシリンダーヘッド領域に取り付けられるようになっている。
【０００５】
鍛造加工成形部品として形成された燃料蓄圧器も、複数の構成部分から溶接結合して成る燃料蓄圧器も、著しく高い製造費用を必要としている。
【０００６】
本発明の課題は、前述の公知技術から出発して、蓄圧器、殊に高圧貯蔵式噴射システム（コモンレール）を改善して、該蓄圧器の製作及び組立の手間を著しく簡単にし、かつ高圧管路と蓄圧器の接続孔との間の密閉をすでに組立に際して達成できるようにすることである。
【０００７】
前記課題を解決するために本発明の構成では、高圧管路のための接続孔の領域で蓄圧器部材の周囲にシェル状（外殻状若しくは筐体状）の固定部材を配置してあり、該固定部材（固定装置）は高圧管路の密着される領域を被って、かつ蓄圧器部材の周面に圧着している。シェル状の固定部材は有利には、一方の端部で互いに引っ掛けて結合される２つの半割シェルを含んでおり、該半割シェルは他方の端部で締め付け部材（締め付けエレメント）を用いて蓄圧器部材の周囲に沿って互いに締め付けられるようになっているか、若しくは両方の半割シェルの端部間の係合部によって蓄圧器部材の周囲に締め付けて互いに結合されるようになっている。シェル状の固定部材は、蓄圧器部材の周面に直接に取り付けられ、蓄圧器部材の周囲を取り囲む管押さえ若しくは管締め金のように作用して、蓄圧器部材の壁内の接続孔と高圧管路の端部の密閉部分との間のシール力（密閉力）を形成するようになっている。本発明に基づく構成によって、一般的に蓄圧器部材の周面に素材結合若しくは溶接結合される取り付け具の使用を不要にしている。固定部材の両方の半割シェルは、有利には薄板成形片として形成されており、これによって製造コストは節減される。
【０００８】
蓄圧器部材は単一の管を含んでおり、該管の壁（周壁）に複数の接続孔を加工成形してあり、接続孔の数は、内燃機関の燃料インジェクターの数に相当している。蓄圧器部材として簡単に引き抜き成形された管に、内燃機関のシリンダーヘッド領域への蓄圧器部材の取り付けのための固定条片を溶接結合することも可能である。高圧管路の取り付け及び密閉は、シェル状の固定部材の組み付けによって行われる。本発明に基づく構成により、高圧管路は横方向力を受けることなしに、蓄圧器部材に密閉した状態で接続されるようになっている。
【０００９】
組み付け技術上有利な実施態様では、固定部材の両方の半割シェルは、一方の端部で互いに引っ掛けて結合されている。高圧管路の端部の密閉部分に被せられて該密閉部分の押圧のために用いられる半割シェルを、予め高圧管路の端部に組み付けることも可能である。高圧管路の端部の密閉部分に被せられる半割シェルは、有利には、蓄圧器部材の周面への固定によって相対回動を防止されていて、その結果、最終組付けに際して、特に締め付け力を形成する際に高圧管路に対して横方向力を生ぜしめることはなくなっている。高圧管路の端部の密閉部分に被せられる半割シェルは、別の実施態様では個別の構成部分（構成部品）として形成され、かつ差込スリットを備えていて、該差込スリットでもって高圧管路に差しはめられつつ、接続孔の領域で蓄圧器部材に取り付けられるようになっている。高圧管路の端部の密閉部分に被せられる半割シェル内に、有利にはスペーサープレート（又はスペーサーリング）を組み込み、若しくはつば状の付加部を有するスペーサープレート（又はスペーサーリング）を組み込んである。スペーサープレート、若しくはつば状の付加部を有するスペーサープレート（スペーサー部材又はスペーサー片）によって、製作誤差を補償することができ、高圧管路の端部の密閉部分と蓄圧器部材の周面との間の密閉のために作用する力を補償しかつシール面にわたって分配することができるようになっている。
【００１０】
蓄圧器部材の周面へのシェル状の固定部材の固定のための両方の半割シェルの開口部のある端部間での締め付け力は、１つの実施態様ではねじ結合部によって形成され、別の実施態様では両方の半割シェルの開口部のある端部の塑性変形によって形成される。締め付け部材（緊締部材）として締め付けねじを用いる場合には、締め付けねじはナットを用いて締め付けられ、若しくは一方の半割シェルの端部の材料隆起部内に設けられた雌ねじ内にねじ込まれるようになっている。さらに別の実施態様では、一方の半割シェル、例えば下方の半割シェルの端部にねじ用つばを形成してあり、該ねじ用つばの雌ねじ内に、締め付け部材のねじ区分をねじ込んで、締め付け力を形成するようになっている。
【００１１】
固定部材の両方の半割シェルの開口部のある端部を塑性変形させる場合に、該両方の端部は互いに係合させられるようになっている。これによって、両方の半割シェルの互いに引っ掛けて若しくは嵌合又は係止して結合されている端部間に存在する遊びも排除され、その結果、固定部材の半割シェルは蓄圧器部材の周面に密接に接触せしめられるようになっている。
【００１２】
固定部材を蓄圧器部材の周面に組み付ける際にも蓄圧器部材の周面への高圧管路の、横方向力の作用を受けることのない固定を保証するために、有利には蓄圧器部材の周面に凹設部を設けてある。凹設部は、該凹設部と相補的に、つまり該凹設部と合致して上側の半割シェルと下側の半割シェルに設けられた突起部と協働し、つまり該突起部を受容するようになっている。互いに協働する凹設部と突起部とは、蓄圧器部材の周面に固定部材を組み付ける際に、殊に半割シェルの端部間のねじ結合若しくは塑性変形による締め付け力の形成に際して、固定部材の半割シェルと蓄圧器部材との間の相対回動を阻止するようになっている。
【００１３】
次に本発明を図示の実施例に基づき説明する。図面において、
図１は、高圧管路（高圧導管）を蓄圧器部材の周面に取り付けるためのシェル状（外殻状若しくは筐体状）の固定部材の第１の実施例の平面図であり、
図２は、図１の実施例の断面図であり、
図３は、図１及び図２の実施例の下面図であり、
図４は、高圧管路を蓄圧器部材の周面に取り付けるためのシェル状の固定部材の第２の実施例の断面図であり、
図５は、図４の実施例の下面図であり、
図５．１は、図５に示す実施例の側面図であり、
図６は、第２の実施例の平面図であり、
図７は、高圧管路を蓄圧器部材の周面に取り付けるためのシェル状の固定部材の第３の実施例の断面図であり、
図８は、図７の実施例の固定部材の力導入箇所の完成した状態を示す図であり、
図９は、図７の実施例の平面図であり、
図１０は、高圧管路を蓄圧器部材の周面に取り付けるためのシェル状の固定部材の第４の実施例の断面図であり、
図１０．１は、本発明に基づく固定部材に用いられるスペーサープレートの断面図であり、
図１１は、図１０の実施例の側面図であり、
図１２は、図１０の実施例の平面図であり、
図１３は、シェル状の固定部材の別の実施例の断面図であり、
図１３．１は、図１３の実施例の側面図であり、
図１３．２は、図１３の実施例の平面図であり、
図１４．１は、互いに相対的に移動及び係止される２つのシェルから成るシェル状の固定部材の実施例の断面図であり、
図１４．２は、図１４．１の実施例の側面図である。
【００１４】
図１には、高圧管路を蓄圧器部材の周面に取り付けるためのシェル状の固定部材の第１の実施例を、上方から見た平面図で示してある。
【００１５】
シェル状の固定部材２０は、上側シェル２２及び下側シェル２４を含んでいる。上側シェル２２と下側シェル２４とは互いに相補的に形成されていて、それぞれ管状の蓄圧器部材１０の周面を１８０°の角度にわたって包囲している。この場合に上側シェル及び下側シェルは、有利には、圧力管路の中心線及び管状の蓄圧器部材の中心線によって規定され仮想の平面に対して直交しかつ管状の蓄圧器部材の中心線を通って延びる仮想の平面（図２の水平の鎖線）を基準として管状の蓄圧器部材の周面を１８０°の角度にわたって包囲している。半割シェルなる記載は、シェル状の固定部材２０が、管状に形成された蓄圧器部材１０を１８０°よりも大きい包囲角度９８（図１３及び図１４．１）若しくは１８０°よりも小さい包囲角度１００で包囲するシェル状の２つの構成要素をも含んでいることを意味している。シェル構造の固定部材２０は、蓄圧器部材１０に組み付けられた状態では、高圧管路１６に対する結合箇所を除いて、管状に形成された蓄圧器部材１０の周面１２をその全周にわたって包囲している。例えば、上側シェル２２によって蓄圧器部材１０の周面１２を１８０°よりも大きい角度（円周角）で包囲すると、これに対応して、下側シェル２４は蓄圧器部材１０の周面１２を１８０°よりも小さい角度で包囲することになる。逆に、下側シェルによって蓄圧器部材の周面を１８０°よりも大きい角度で包囲し、これに対応して上側シェルによって蓄圧器部材の周面を１８０°よりも小さい角度で包囲すること可能である。
【００１６】
蓄圧器部材１０は、ほぼ管状に構成されていて、周面１２を有している。蓄圧器部材１０は、１６００バールと２０００バールとの間の系内圧力に耐える壁厚さで形成されている。系内圧力は、図示省略の高圧吐出装置、例えば高圧ポンプによって蓄圧器部材１０内に生ぜしめられるようになっている。蓄圧器部材１０は、対称軸線１４に対して対称的に構成されている。蓄圧器部材１０の周面１２に、高圧管路１６を装着してあり、該高圧管路１６は所定の流過横断面１８を有していて、図示省略の燃料インジェクターに通じている。蓄圧器部材１０の中空部内に系内圧力で蓄えられている燃料は、高圧管路１６を介して燃料インジェクターへ導かれるようになっている。図１に断面を示してある高圧管路１６は、シェル状の固定部材２０を用いて蓄圧器部材１０の周面１２に取り付けられている。シェル状の固定部材２０は上側シェル２２と下側シェル２４とを含んでおり、これらのシェル（外殻状部材片）は横断面（図２）で見てほぼ半円形に構成されている。シェル状の固定部材２０の図１に示す実施例では、上側シェル２２にはスリット状の切欠部２６を設けてある。上側シェル２２のスリット状の切欠部２６によって、上側シェル２２は個別の部品として組み付けに際して密閉部分４４（図２）の上側で高圧管路１６の周囲に差しはめられ、つまり密閉部分（圧着部分）４４上に被せはめられるようになっている。上側シェル２２と下側シェル２４との間の第１の結合部は、クランプ部３０によって形成されており、該クランプ部では上側シェル２２は下側シェル２４に引っ掛けられるようになっている。クランプ部３０と相対する側には、実施例ではねじから成る締め付け部材２８を設けてあり、該締め付け部材２８は上側シェル２２及び下側シェル２４の端部を貫通していて、上側シェル２２と下側シェル２４とを互いに締め付けるようになっている。上側シェル２２は高圧管路１６の構成部分であってよく、該高圧管路と一緒に予め組み立てられていてよい。この場合には、上側シェル２２にスリット状の切欠部２６を形成することは省略される。図１に示す実施例では、固定部材２０の上側シェル２２は、スリット状の切欠部２６により高圧管路１６の密閉部分４４上で高圧管路１６の周囲に差しはめられて蓄圧器部材１０に取り付けられる別個の構成部分（構成部品）である。
【００１７】
図２は、高圧管路１６を蓄圧器部材の外周面に取り付けるためのシェル状の固定部材の図１の実施例の横断面図である。図２から明らかなように、蓄圧器部材１０の壁４０によって中空部３８を画成してある。中空部３８は系内圧力で負荷され、つまり系内圧力の負荷を受けるようになっており、この場合に系内圧力の圧力レベルは、１６００バールと２０００バールとの間である。蓄圧器部材１０の壁４０には、該蓄圧器部材と接続すべき燃料インジェクターの数に相当する数の接続孔４２を設けてある。図２に示してあるように、接続孔４２は、壁の漏斗状に形成された面４３に開口している。壁の面４３は、蓄圧器部材の横断面で見て漏斗状の代わりに半円形に形成され、若しくは別の形状で形成されていてもよいものである。
【００１８】
蓄圧器部材１０の周面１２にシェル状の固定部材２０を固定してあり、該固定部材は上側シェル２２及び下側シェル２４を含んでいる。上側シェル２２と下側シェル２４とは第１の力導入箇所３２で締め付け力ＦＫの形成のために互いに引っ掛けられ、若しくは互いにクランプ結合されている。第１の力導入箇所３２での上側シェル２２と下側シェル２４との結合は、工具を用いることなしに行われている。固定部材２０内に締め付け力ＦＫを導入する、つまり固定部材２０に締め付け力を形成するために、第１の力導入箇所３２と相対する側の第２の力導入箇所３４には、上側シェル２２及び下側シェル２４の端部間を延びるねじ状の締め付け部材２８を設けてある。締め付け部材２８のねじ区分５２はナット５０にねじ込まれるようになっている。締め付け部材２８の締め付け力（ねじ込み力）に依存して、上側シェル２２は下側シェル２４に対して締め付けられ、ひいては上側シェル２２と下側シェル２４とは蓄圧器部材１０の周面１２に対して締め付けられる。この場合に、第１の力導入箇所３２に存在する遊び、つまり固定部材２０の上側シェル２２及び下側シェル２４の、第１の力導入箇所（結合部）の側の端部間の隙間は消滅（補償）される。固定部材２０の上側シェル２２は、締め付け部材２８の締め付け力に応じて、上側シェル２２の開口部４６の領域で高圧管路に対して環状間隙２８を形成した状態で密閉部分４４の上側の肩部５４に圧着している。密閉部分４４は図２の実施例では円錐台の形状を有している。密閉部分４４は有利には、壁４０の接続孔４２につながる接続面（さら穴面）４３の幾何学形状と相補的に形成されている。
【００１９】
締め付け部材のねじ区分５２の、上側シェル２２及び上側シェル２２の端部間に存在する軸線方向長さに応じて、締め付け力ＦＫを形成することができ、この場合に第１の力導入箇所３２及び第２の力導入箇所３４に導入（形成）された締め付け力ＦＫは、形成すべきシール力３６（ＦＤ）に相当している。これによって、密閉部分４４と蓄圧器部材１０の周面１２に設けられた相補的な形状の接続面４３との間の漏れのない密な結合を達成するようになっている。
【００２０】
図３には、本発明に基づくシェル状の固定部材の第１の実施例を下側から見て示してある。
【００２１】
図４にはシェル状の固定部材の第２の実施例を示してある。図４に示す第２の実施例においては、上側シェル２２と下側シェル２４とは、締め付け力ＦＫの第１の力導入箇所３２で係合部６０によって互いに結合されている。この場合に、上側シェル２２の湾曲された端部は、締め付け力ＦＫの第１の力導入箇所３２で下側シェル２４の付加部（曲げ出し部分）に係合するようになっている。締め付け力ＦＫの第２の力導入箇所３４では、シェル状の固定部材２０の上側シェル２２及び下側シェル２４の穴開けされた端部は、締め付け部材２８によって互いに結合されている。図２の実施例と異なって、図４の実施例ではナット５０を省略してあり、それというのは、ジェルの材料隆起部内に、実施例では下側シェルの材料隆起部６６内にねじ状の締め付け部材２８のための雌ねじ６８を成形してあるからである。図４の実施例では高圧管路１６に、丸みの付けられた密閉部分６４を設けてあり、つまり高圧管路の端部に設けられた密閉部分６４は、蓄圧器部材１０の壁４０の接続孔４２の上側の接触面４３に向いた側を丸く形成され若しくは球面状に形成されている。蓄圧器部材１０の壁４０によって画成された中空部３８は、図示省略の高圧吐出装置によって形成される１６００バール乃至２０００バールの系内圧力の負荷を受けるようになっている。高圧管路１６は、上側シェル（上側の半割シェル）２２の開口部４６を通って延びている。上側の半割シェル２２は、接触面４３と接触する側を丸く形成され、つまり球面状に形成された密閉部分６４を成形する前に、高圧管路１６上に差しはめられるようになっている。上側シェル２２は密閉部分６４の肩部５４に圧着されており、上側シェル２２と下側シェル２４との間の締め付けに際して、高圧管路１６と蓄圧器部材１０の周面１２に設けられた接触面４３との間のシール力は、前記肩部を介して生ぜしめられるようになっている。上側シェル２２は１つの平面接触部６２を備えていてよく、該平面接触部は、該平面接触部に対応して蓄圧器部材１０の周面１２に形成された面取り部と協働する、つまり面取り部と接触するようになっており、これによって高圧管路１６は横方向力を受けることなしに、蓄圧器部材１０の周面１２に組み付けられるようになっている。
【００２２】
図５は、図４の実施例の条片状（帯金状）の固定部材を上側から見て示しており、つまり平面図である。図５に示してあるように、上側シェル２２は、係合部６０の領域で下側シェル２４の端部を包み込むように該端部の下側に係合している。圧力管路１６は、該高圧管路１６の外周面と上側シェル２２との間に環状間隙４８を形成した状態で固定されている。環状間隙４８は、高圧管路１６への横方向力の導入（作用）を防止しており、これによって高圧管路の耐用年数は増大されている。図５の平面図に示してあるように、締め付け部材２８は上側シェル２２を、締め付け力ＦＫの第２の力導入箇所３４の領域で下側シェル２４に対して締め付けている。付言すると、蓄圧器部材１０はほぼ管状に形成されていて、対称軸線１４に対して対称的に延びている。
【００２３】
図５．１は、図５のシェル状の固定部材の上側シェルと下側シェルとを互いに係合結合している係合部分の側面図である。図５．１から明らかなように、係合部分６０の係合結合は、図５に示してあるように、締め付け力ＦＫの第１の力導入箇所３２の領域で、工具を用いることなしに行われ、つまり上側シェル２２の端部と下側シェル２４の端部との間のかみ合い、若しくは相互の引っ掛けによって行われている。上側シェル２２の方向を示すために高圧管路１６を部分的に示してある。
【００２４】
図６に示す変化例において、上側シェル２２は、すでに述べてあるスリット状の切欠部２６を備えていて、高圧管路１６と蓄圧器部材１０との間の高圧接続部の別個の構成部分（構成部品）として用いられるようになっているものである。この場合にスリット状の切欠部２６は、高圧管路１６の端部の丸みの付けられた密閉部分６４（図４、参照）の上側で、高圧管路上への上側シェル２２の側方からの差しはめを可能にしている。上側シェル２２と下側シェル２４とは、すでに述べてあるように、締め付け力ＦＫのための第１の力導入箇所３２の領域で相互の引っ掛けによって、若しくは相互のフック係合によって互いに結合されている。シェル状の固定部材２０を蓄圧器部材１０の周面１２に固定するための、上側シェル２２と下側シェル２４との間の締め付け（緊締）は、ほぼ締め付け部材２８の締め付け力によって規定される。図６に示してあるように、蓄圧器部材１０の壁４０は、蓄圧器部材の中空部３８を画成している。図６の変化例の蓄圧器部材１０の壁４０にも、図４の実施例と同様に接続孔を設けてあり、該接続孔も漏斗状の接触面につながっている。
【００２５】
図７は、蓄圧器部材の周面に高圧管路を接続するための本発明に基づくシェル状の固定部材の第３の実施例を示している。シェル状の固定部材２０の図７に示す第３の実施例においても、蓄圧器部材１０の周面１２は上側シェル２２及び下側シェル２４によって取り囲まれている。図７に示してあるように、締め付け力ＦＫのための第１の力導入箇所３２に係合部６０を設けてあり、この場合には係合部は、上側シェル２２の折り曲げられた端部と下側シェル２４の折り曲げられた端部とを互いに係合させることによって形成されている。二重矢印によって示してあるように、係合部６０は、蓄圧器部材１０の周面１２の任意の箇所に、つまり蓄圧器部材１０の中心線若しくは対称軸線１４を基準として任意の角度位置に形成される。締め付け力ＦＫのための第１の力導入箇所３２と相対する第２の力導入箇所３４には、締め付け部材、例えばねじを用いることのないクランプ部７８を設けてあり、該クランプ部（結合部）は、上側シェル２２及び下側シェル２４の一方（実施例では上側シェル）の端部の開口部内に上側シェル２２及び下側シェル２４の他方（実施例で下側シェル）の端部を挿入して、該端部を、図８に示してあるように折り曲げることによって形成されており、この場合に前記他方の端部の折り曲げに際して、上側シェル２２と下側シェル２４とは周方向で相互に引き付けられて、第２の力導入箇所３４で締め付け力ＦＫを形成するようになっている。
【００２６】
図７に示してあるように、上側シェル２２は変形された段部を有しており、該段部はスペーサープレート７２を包囲している。図７に示すようにスリーブ状のつばを有することのないスペーサープレート７２の代わりに、図１０に示してあるように、スリーブ状のつばを有するスペーサープレート９２を用いることも可能であり、シェル状の固定部材と高圧管路の密着部分（圧着部分）との間にスペーサープレート（スペーサー片若しくは座金）を挿入することによって、高圧管路１６は横方向負荷を受けることなしに蓄圧器部材１０の周面１２に固定されて密閉されるようになっている。
【００２７】
図７に示す実施例において、スペーサープレート７２は高圧管路１６の密着部分７４の肩部５４に接触し、つまり支持されている。密着部分７４は円錐形の外周面を有しており、該外周面は、蓄圧器部材（１０）の壁４０内の漏斗状の接触面４３と相補的に形成されている。
【００２８】
さらに上側シェル２２の内側に突起部８４を形成してある。突起部８４は、蓄圧器部材１０の周面１２に設けられている凹設部８６内に突入（係合）している。上側シェル２２の突起部８４と蓄圧器部材１０の周面１２の凹設部８６との協働（係合）により、蓄圧器部材１０は、第２の力導入箇所３４での固定部材の締め付けのために、上側シェル２２の開口部のある端部を下側シェル２４に向けて変形距離７６にわたって変形させて、前記端部の開口部を下側シェルの端部に差しはめる際に、上側シェル２２に対して相対回動不能にされており、それというのは相対回動は高圧管路１６の横方向負荷（蓄圧器部材の周方向で高圧管路に作用する負荷）を生ぜしめることになるからである。高圧管路１６は、一方ではスペーサープレート（スペーサーディスク）７２によって、かつ他方では環状間隙４８によって、上側シェル２２による横方向力の作用から保護されている。高圧管路１６の外周面は、図７のスペーサープレート７２の代わりに、図１０．１に示してあるように、つば状若しくはカラー状の付加部を備えたスペーサープレート９２によって包囲されていてよい。
【００２９】
図８には、締め付け力のための第２の力導入箇所の領域での上側シェル２２と下側シェル２４との間の結合部を示してある。上側シェル２２の端部を図７に示してあるように、下側シェル２４に向けて変形距離７６にわたって塑性変形させる際に、クランプ部７８は第２の力導入箇所３４に締め付け力ＦＫを生ぜしめるようになっている。これによって、シェル状の固定部材２０において締め付け力ＦＫのための第１の力導入箇所３２に存在する遊びも補償され、つまり取り除かれ、かつ上側シェル２２及び下側シェル２４の内側は、蓄圧器部材１０の周面１２に完全に接触させられる。
【００３０】
図９は、図７の第３の実施例の固定部材の平面図である。符号８４は、上側シェル２２の内側の突起部の位置を示しており、突起部は、組み付けの際の上側シェル２２と蓄圧器部材１０との間の相対回動防止手段として、蓄圧器部材１０の周面１２に設けられた凹設部８６内に係合するようになっている。上側シェル２２と、図９には示してない下側シェル２４とは、締め付け力ＦＫのための第１の力導入箇所３２の領域では図７に示す係合部６０によって互いに結合されている。
【００３１】
図１０には、蓄圧器部材の周面に高圧管路１６を固定するためのシェル状の固定部材の第４の実施例を示してある。図１０から明らかなように、締め付け力ＦＫのための第１の力導入箇所３２の領域には、上側シェル２２及び下側シェル２４の端部は互いに形状係合によって、つまり互いにかみ合いによって結合されるようになっており、このためにあり継ぎを設けてある。このようなかみ合い結合部若しくはあり継ぎは、締め付け力のための第１の力導入箇所３２の領域における、締め付け部材なしのクランプ結合部を成している。第１の力導入箇所３２で上側シェル２２及び下側シェル２４の端部を互いに結合する領域において、蓄圧器部材１０の周面１２に向いている内側に突起部８４を設けてあり、該突起部は、該突起部と合致して蓄圧器部材１０の周面１２に設けられた凹設部８６内に係合している。これによって、図１０の実施例においても、管状の蓄圧器部材１０とシェル状の固定部材２０との間の相対的な回動は阻止され、その結果、高圧管路１６に対する横方向力の作用も防止されている。
【００３２】
上側シェル２２は、高圧管路１６の密閉部分７４を覆う領域に、変形加工されて成る付加部を有していて、該付加部に開口部４６を備えている。開口部４６と高圧管路１６の外周面との間に環状間隙４８を設けてある。上側シェル２２の下側にスペーサープレート９２を配置してあり、該スペーサープレートはつば状の付加部を備えていて、高圧管路１６を包囲している。スペーサープレート７２は、一方では円錐形の密閉部分７４の肩部５４に支えられていて、かつ他方では上側シェル２２によって取り囲まれている。図１０．１のスペーサープレート９２のつば状の付加部は、高圧管路１６の外周面を横方向力の作用から保護していて、締め付け力の作用を分配している。図１０．１に示すスペーサープレート９２の開口部の内径９４は、高圧管路１６の外径にほぼ相当している。図１０の実施例において、密閉部分７４は、円錐台形の外周面を有していて、蓄圧器部材１０の周面１２の漏斗状の接続面４３に係合している。これによって、高圧管路１６と蓄圧器部材１０の壁４０の接続孔４２、ひいては蓄圧器部材１０の中空部３８との間の漏れのない結合部を形成している。
【００３３】
図１０に示す実施例において、シェル状の固定部材２０の上側シェル２２と下側シェル２４との間のシール力ＦＤ（符号３６）は、締め付け部材２８を介して形成されるように成っている。シェル状の固定部材２０の図１０に示す実施例においても、下側シェル２４にねじ付きつば９０を設けてあり、該ねじ付きつば内に締付け部材２８のねじ区分５２をねじ込むようになっている。有利には上側シェル２２は高圧管路１６に予め組み付けられるようになっていてよく、これによって、図１及び図６に示してある上側シェル２２のスリット状の切欠部２６は省略され得る。
【００３４】
シェル状の固定部材２０の、図１０に断面して示してある第４の実施例では、第１の力導入箇所３２における締め付け力ＦＫの形成は、上側シェル２２及び下側シェル２４の端部間の相互のかみ合い結合によって行われているのに対して、第２の力導入箇所における締め付け力ＦＫの形成は締め付け部材２８によって行われるようになっている。これによって、蓄圧器部材１０の周面１２に対する締め付け力ＦＫの形成（導入）は２つの箇所で行われて有利であり、ＦＤ＝２ＦＫである。
【００３５】
図１０のシェル状の固定部材２０の第４の実施例では、締め付け力ＦＫのための第１の力導入箇所３２において、連結結合部６０は、半径方向で、例えば図７の係合部６０、若しくは図４の係合部、若しくは図２の実施例のように上側シェル２２若しくは下側シェル２４を越えて突出するものではない。これによって図１０の実施例は構成スペース上の利点を有しており、それというのはシェル状の固定部材２０は締め付け力ＦＫのための第２の力導入箇所３４の領域でのみ所定の構成スペースを必要とするだけであるからである。
【００３６】
図１１は、図１０の第４の実施例の側面を示している。図１１から明らかなように、上側シェル２２及び下側シェル２４の端部は相互の嵌合によって互いに接合（結合）されていて、シェル状の固定部材２０の一貫した平滑な外面を成している。上側シェル２２には内側に突起部８４を設けてあり、該突起部は蓄圧器部材１０の周面１２の凹設部８６内に係合し、つまり凹設部内に入り込んでいて、高圧管路１６を蓄圧器部材１０に接続する際に、蓄圧器部材１０とシェル状の固定部材２０との間の相対回動を効果的に阻止している。図１１は、図１０に示す高圧接続部の第４の実施例の側面図である。図１１に示してあるように、突起部８４並びに、蓄圧器部材１０の周面１２の、前記突起部８４と協働する凹設部８６は、対称軸線１４の上側に位置しており、したがって下側シェル２４は蓄圧器部材１０の周面１２を、上側シェル２２よりも大きな円周角度にわたって取り囲んでいる。
【００３７】
図１２は、図１０に示す高圧接続部の第４の実施例の平面図である。スペーサープレート９２並びに、該スペーサープレートの下側に位置する円錐形の密閉部分７４は、上側シェル２２によって被われており、つまり上側シェル２２はスペーサープレート９２及び密閉部分７４にかぶさっている。符号２６は、スリット状の切欠部として形成された組み付けスリットを表している。
【００３８】
図１３には、蓄圧器部材１０における高圧接続部の結合のための別の実施例を示してある。図１３は図１０にほぼ相当している。図１３には、下側シェル２４の包囲角度（円周角度）を符号９８で記入してある。シェル状の固定部材２０の上側シェル２２の包囲角度は、下側シェル２４の包囲角度を補完して、下側シェル２４の包囲角度よりも小さく形成されている。図１３及び図１３．１に示してあるように、上側シェル２２の内側面に設けられた突起部８４は、係合部６０の領域で蓄圧器部材１０の周面１２に設けられた凹設部８６内に係合している。包囲角度９８＞１８０°で形成された下側シェル２４は、蓄圧器部材１０の周面１２に装着される。上側シェル２２は、組み付けスリット９６に沿って傾けた状態で一方の端部を下側シェル２４の一方の端部と嵌合により結合し、次いで回動防止手段８４，８６によって位置決めし、つまり内側の突起部８４を凹設部８６内に係合させて、他方の端部を下側シェル２４の他方の端部と結合される。
【００３９】
図１４．１及び図１４．２には、本発明に基づく固定部材２０の別の実施例を示してある。図１４．１に示してあるように、上側シェル２２は、１８０°よりも小さい包囲角度１００で形成されている。これに対応して、下側シェル２４は、１８０°よりも大きい包囲角度９８で形成されている。前に述べてある実施例の半割シェル（上側シェル２２及び下側シェル２４）と異なって、図１４．１及び図１４．２に示す半割シェル２２，２４は、接合方向１０２で軸線方向に、つまり蓄圧器部材１０の対称軸線１４に対して平行に移動して嵌合させられるようになっている。まず下側シェル２４を蓄圧器部材１０の周面１２に装着して軸線方向に移動させる。次いで上側シェル２２は、高圧管路１６を介して蓄圧器部材１０に位置決めされる。その後に、下側シェル２４は二重矢印１０２の方向で移動されて、上側シェル２２と嵌合され、これによって円周方向で引っ掛けられた状態で結合される。最終的に、図１４．１に示してある締め付け部材２８によって、シール力ＦＤを形成して、円錐形の密閉部分７４を蓄圧器部材１０の周面１２内に押し込むようになっている。
【図面の簡単な説明】
【００４０】
【図１】固定部材の第１の実施例の平面図
【図２】図１の実施例の断面図
【図３】図１及び図２の実施例の下面図
【図４】固定部材の第２の実施例の断面図
【図５】図４の実施例の下面図
【図５．１】図５に示す実施例の側面図
【図６】第２の実施例の平面図
【図７】固定部材の第３の実施例の断面図
【図８】図７の実施例の固定部材の力導入箇所の完成した状態を示す図
【図９】図７の実施例の平面図
【図１０】固定部材の第４の実施例の断面図
【図１０．１】スペーサープレートの断面図
【図１１】図１０の実施例の側面図
【図１２】図１０の実施例の平面図
【図１３】固定部材の別の実施例の断面図
【図１３．１】図１３の実施例の側面図
【図１３．２】図１３の実施例の平面図
【図１４．１】固定部材のさらに別の実施例の断面図
【図１４．２】図１４．１の実施例の側面図
【符号の説明】
【００４１】
１０  蓄圧器部材、  １２  周面、  １４  対称軸線、  １６  高圧管路、  １８  流過横断面、  ２０  固定部材、  ２２  上側シェル、  ２４  下側シェル、  ２６  切欠部、  ２８  締め付け部材、  ３０  クランプ部、  ３２，３４  第１の力導入箇所、  ３８  中空部、  ４０  壁、  ４２  接続孔、  ４３  接続面、  ４４  密閉部分、  ４６  開口部、  ５０  ナット、  ５２  ねじ区分、  ６０  係合部、  ６２  平面接触部、  ６４  密閉部分、  ６６  材料隆起部、  ６８  雌ねじ、  ７２  スペーサープレート、  ７４  密着部分、  ７６  変形距離、  ７８  クランプ部、  ８４  突起部、  ８６  凹設部
【図１】
2009533591.tif 000003
【図２】
2009533591.tif 000004
【図３】
2009533591.tif 000005
【図４】
2009533591.tif 000006
【図５】
2009533591.tif 000007
【図５．１】
2009533591.tif 000008
【図６】
2009533591.tif 000009
【図７】
2009533591.tif 000010
【図８】
2009533591.tif 000011
【図９】
2009533591.tif 000012
【図１０】
2009533591.tif 000013
【図１０．１】
2009533591.tif 000014
【図１１】
2009533591.tif 000015
【図１２】
2009533591.tif 000016
【図１３】
2009533591.tif 000017
【図１３．１】
2009533591.tif 000018
【図１３．２】
2009533591.tif 000019
【図１４．１】
2009533591.tif 000020
【図１４．２】
2009533591.tif 000021
【国際調査報告】
2009533591.tif 000022
2009533591.tif 000023
2009533591.tif 000024
2009533591.tif 000025
2009533591.tif 000026
2009533591.tif 000027